Podtech/llm-jp-corpus-v4-ja_patent huggingface dataset:
(57)【要約】      （修正有）【課題】近年では玉葱も機械で植え付けられるようになりましたが、後で手直しするのは人手で、苗を円いバケツに入れて、提げて持ちまわりながら作業していた。バケツを提げて持ちまわったりしなくてもよい牽引容器を提供する。【解決手段】畝と畝との間の谷は細長いから、使用する容器も細長い谷に合わせて細長い立体形状として、その細長い立体形状の一方に紐を付けて、作業する人の腰に繋ぐと、作業者の移動とともに自動的に容器が付いてくるから、これまでのようにバケツを提げて持ちまわることなく作業ができて能率も上る。【選択図】図１
2019167159.tif 000002
【特許請求の範囲】
【請求項１】
牽引容器本体（１）で、側面（５）の下部（８）に、接地板（７）を設け、牽引容器本体（１）の細長い立体形状の片側上部（２）に紐取付部（３）を設けて紐（４）を取り付け、作業者の腰に紐（４）を繋げられるようにしたことを特徴とする農作業用の牽引容器。
【発明の詳細な説明】
【技術の分野】
【０００１】本発明は農作業用の牽引容器に関する。
【背景の技術】
【０００２】これまでも農作業で円いバケツを使っていた。田んぼの畝は細長いし畝と畝との間の谷は、尚更、細長いのに円いバケツでは安定が悪かった。
【先行技術】
【０００３】特開２０１０−１７８６３９  特開平０８−０５１８６８
【発明の概要】
【発明が解決しようとする課題】
【０００４】近年は玉葱も機械で植え付けられていますが、後で手直しする時、苗を円いバケツに入れて、提げて持ちまわりながら作業していた。畝と畝との間の谷は細長いから使用する容器を細長い谷に合わせて細長い立体形状として、その細長い立体形状の片側に紐を付けて、作業者の腰に繋ぐと、作業者の移動と同時に自動的に容器が付いてくる。これまでの様にバケツを提げて持ちまわったりしなくてもよく、作業中に近くに容器が欲しい時は、作業者の腰に繋いだ紐を引っぱれば近くへ引き寄せられて、これまでの様なバケツを取りに行く必要がなくてすむ。
【課題を解決する為の手段】
【０００５】図面にもとづいて説明します。（１）は本発明の牽引容器本体で、（２）は牽引容器本体（１）の細長い立体形状の片側上部である。（３）は片側上部（２）に設けた紐取付部で、（４）は紐取付部（３）に取り付けた紐である。（５）は牽引容器本体（１）の側面で（６）は牽引容器本体（１）の底面である。（７）は牽引容器本体（１）の側面（５）の（８）下部に設けた接地板である。これで、牽引容器本体（１）の片側上部（２）に設けた紐取付部（３）に紐（４）を取り付け、紐（４）を作業者の腰と繋いで作業し進む。この時、接地板（７）は牽引容器本体（１）の底面（６）が地面と接する面を少なくし更に土塊が有っても避けたり跨いだりしながら進める。接地板（７）は、前部（９）で舳先の様に角を取ってあるから進み易い。接地板（７）は高過ぎると牽引容器本体（１）が倒れ易くなるから５ｃｍくらいの高さが適当である。
【発明の効果】
【０００６】前述の如く、本発明の牽引容器本体（１）の片側上部（２）の紐取付部（３）に、紐（４）を取り付け作業者の腰に繋げる事で、作業者が牽引容器本体（１）を手で持ち運びしなくても、作業し進むだけ自動的に付いてくる。だから作業の能率が上る。牽引容器本体（１）を近くに寄せたい時は、紐（４）を手で引っぱれば、牽引容器本体（１）を、いつでも引き寄せることが出来るから作業能率が良い。
【実施例】
【０００７】図２は実施例の斜視図で１部、分解図である。接地板（７ａ）の前部（９ａ）と後部（１０）に穴（１１）を設け、穴（１１）に嵌合する軸付き前輪（１２）と後部の軸付き後輪（１３）を設けた。軸付き前輪（１２）の前側に土塊除け棒（１４）を挟持部（１５）に挟み付け、土塊に前輪が乗り上げないようにした。牽引容器本体（１ａ）の片側上部（２ａ）の付近で、棚（１６）を付け外し自在で設けて苗等の一時置き場とし、容器の底まで手を延ばさずにすむようにした。
【図面の簡単な説明】
【０００８】
【図１】は、本発明の斜視図である。
【図２】は、本発明の実施例の斜視図である。
【符号の説明】
【０００９】（１）と（１ａ）は、牽引容器本体。    （９）と（９ａ）は、前部。
（２）と（２ａ）は、片側上部。        （１０）は、後部。
（３）と（３ａ）は、紐取付部。        （１１）は、穴。
（４）と（４ａ）は、紐。              （１２）は、軸付き前輪。
（５）と（５ａ）は、側面。            （１３）は、軸付き後輪。
（６）と（６ａ）は、底面。            （１４）は、土塊除け棒。
（７）と（７ａ）は、接地板。          （１５）は、挟持部。
（８）と（８ａ）は、下部。
【図１】
2019167159.tif 000003
【図２】
2019167159.tif 000004
(57)【要約】【課題】  従来から問題となっている、自動車事故の原因のひとつであるブレーキペダルとアクセルペダルの踏み間違いを防止するに効果的なブレーキ連動装置とする。【解決手段】  足乗せするブレーキペダルに電気的小振動を発するようにし、それを靴底に伝えるものとし。それによって一方のアクセルペダルとの踏み違いを違いを足裏で明確に区別できるものとする。また踏み間違い防止をより高めるために、ブレーキペダルに連動して、運転席前の計器類辺りに、ブレーキペダルに足乗せしたことを示すための赤色系の点滅式表示灯と電子音装置を加えることを良とする。【特許請求の範囲】
【請求項１】
自動車のブレーキペダル部に、強弱調整可能な電気的小振動を発するようにし、アクセルペダルと足乗せの感触違いを区別できるブレーキペダル連動装置。
【請求項２】
自動車のブレーキペダルに足乗せした時、運転席よりブレーキペダル足乗せを目や耳でも感知できるよう表示灯または電子音が発する装置をブレーキペダルに連動させた装置。
【発明の詳細な説明】
【技術分野】
【０００１】  本発明は、自動車の、アクセルペダルとブレーキペダルの踏み間違いを防止する装置に関するものである。
【背景技術】
【０００２】  車におけるブレーキペダルとアクセルペダルの踏み間違いからくる人身事故は毎年５０００件程が記録されている。通常、車運転時のブレーキ操作は、構造的にもブレーキペダルへの目視確認が行われないため、稀に誤って横並びの右アクセルペダルに足を乗せ、踏み込んでしまうことが事故に繋がる原因となっている。
【発明の概要】
【発明が解決しようする課題】
【０００３】  本発明は、ブレーキペダルに足乗せしたことが、瞬時に確認できるブレーキ連動装置とすることを課題とする。
【課題を解決する手段】
【０００４】  オートマ自動車等の運転時、ブレーキペダルに足乗せした時、そのブレーキペダル足乗せ面に、強弱調整可能な電気的小振動を発する連動装置とする。またそれと連動して運転席前の計器類辺りに赤色系の小さな点滅表示灯と電子音が発する装置を施すことも良とする。
【発明の効果】
【０００５】  本発明は車の運転中、足元の目視確認をすることのないブレーキペダル足乗せした時、そのブレーキペダルから伝わる電気的小振動を靴底で感知でき、それによって誤ることなくブレーキペダルの踏み込みを安全に行なうことができる。また赤色系の表示灯点滅と電子音が小さく鳴る装置を加えるなら、よりブレーキペダル足乗せ確認に役立つものである。
(57)【要約】      （修正有）【課題】タールの臭いを低減できるタール含有不定形耐火物を提供する。【解決手段】タール含有不定形耐火物にシトラス系の芳香剤を添加することにより、その特性を阻害することなく、タールの臭いをマスキングして低減できる。すなわち、タールを含有し、かつ、シトラス系の芳香剤を含有するタール含有不定形耐火物。【選択図】なし【特許請求の範囲】
【請求項１】
タールを含有し、かつ、シトラス系の芳香剤を含有することを特徴とするタール含有不定形耐火物。
【請求項２】
マッド材である、請求項１に記載のタール含有不定形耐火物。
【発明の詳細な説明】
【技術分野】
【０００１】
本発明は、タール含有不定形耐火物、特にマッド材に関する。
【背景技術】
【０００２】
不定形耐火物の製造現場や施工現場において、作業環境は重要である。不定形耐火物に臭いを発生する材料が含まれている場合、作業者は悪臭に我慢しながら作業を行う必要がある。
【０００３】
例えばマッド材では、耐火原料に対してタールを多量（約２０質量％）に添加することが知られている（例えば、特許文献１参照）。タールは悪臭を伴うため、タールを多量に添加すると、作業者はタールの悪臭に我慢しながら作業を行わなければならない。タールの臭い対策としては、タールの代わりに樹脂系（フェノール樹脂）を用いる技術が知られている（例えば、特許文献２、３参照）。
【０００４】
しかしながら、タールの代わりにフェノール樹脂を用いた場合、出銑口の孔深度を確保しづらく、出銑時間が短くなるという問題があった。また、フェノール樹脂は高価でありコスト面でも問題があった。このため、タール含有不定形耐火物において、タールの臭いを低減することが望まれていた。
【先行技術文献】
【特許文献】
【０００５】
【特許文献１】特開平５−１７０５６０号公報
【特許文献２】特開平６−２９８５７２号公報
【特許文献３】特開２００６−１５１７１８号公報
【発明の概要】
【発明が解決しようとする課題】
【０００６】
本発明が解決しようとする課題は、タールの臭いを低減できるタール含有不定形耐火物を提供することにある。
【課題を解決するための手段】
【０００７】
本発明者らは、タール含有不定形耐火物にシトラス系の芳香剤を添加することにより、そのタール含有不定形耐火物の特性を阻害することなく、タールの臭いを低減できることを見出した。すなわち、本発明の一観点によれば、タールを含有し、かつ、シトラス系の芳香剤を含有することを特徴とするタール含有不定形耐火物が提供される。
【発明の効果】
【０００８】
シトラス系の芳香剤は、タールの臭いをマスキングして低減する。これにより、タール含有不定形耐火物の臭いを低減できる。
【発明を実施するための形態】
【０００９】
本発明のタール含有不定形耐火物は、タールとシトラス系の芳香剤とを含有し、このほかに耐火原料を含有する。耐火原料は、そのタール含有不定形耐火物の用途に応じて適宜選択する。例えば、マッド材の場合、蝋石、アルミナ原料、窒化珪素原料、炭化珪素原料、炭素原料、粘土等を適宜組み合わせて使用する。
【００１０】
タールは主にバインダ（結合剤）として機能する。タールの使用量（含有量）も、そのタール含有不定形耐火物の用途に応じて適宜設定する。例えば、マッド材の場合、耐火原料１００質量％に対して、外掛けで１５質量％以上２５質量％以下のタールを使用する。なお、タールとしては、不定形耐火物に一般的に使用されているものを使用する。
【００１１】
シトラス系の芳香剤は、柑橘類の香りがする芳香剤であり、タールの臭いをマスキングして低減するマスキング効果を発揮する。このマスキング効果を顕著に発揮する点から、シトラス系の芳香剤の使用量（含有量）は、タール１００質量％に対して外掛けで０．０１質量％以上であることが好ましい。シトラス系の芳香剤の使用量（含有量）の上限はマスキング効果の点からは限定されないが、経済性等を考慮すると、タール１００質量％に対して外掛けで０．５質量％以下であることが好ましい。シトラス系の芳香剤としては、株式会社カルモア製の製品名「オドソルバーシトラス」が挙げられる。
【００１２】
なお、本発明のタール含有不定形耐火物の用途は典型的にはマッド材であるが、その他の圧入材、焼付補修材、吹付材、流込材等として用いることもできる。
【実施例】
【００１３】
マッド材を想定して表１に示す各例のタール含有不定形耐火物を作製し、臭い試験を実施するとともに、マッド材としての特性として耐食性を評価した。なお、表１中、耐火原料の「その他」は、窒化珪素原料、炭化珪素原料、カーボンブラック及び粘土であり、「シトラス系の芳香剤」は、株式会社カルモア製の製品名「オドソルバーシトラス」である。
【００１４】
【表１】
2019014635.tif 000002
【００１５】
臭い試験では、各例のタール含有不定形耐火物（マッド材）をビニール袋に入れ、そのビニール袋を開放した状態で、マッド材の製造現場の環境を想定して５０℃で加温し、１時間経過後の臭いを複数人で判定した。表１では、全員がタールの臭いがないと判断した場合を無、１人でもタールの臭いがあると判定した場合を有と表記した。表１より、シトラス系の芳香剤を含有する本発明のタール含有不定形耐火物（実施例１〜５）では、タールの臭いが低減できることがわかる。
【００１６】
一方、耐食性の評価では、各例のタール含有不定形耐火物（マッド材）を７ＭＰａで加圧成形した後、５００℃加熱のベーキング処理を行って得た試験片を、銑鉄及び高炉スラグを侵食剤とする高周波炉に内張りし、１５５０℃×５時間の侵食試験を行った。侵食試験後、試験片の溶損寸法（最大溶損部位）を測定し、比較例１の溶損寸法を１００とする耐食性指数を求めた。なお、耐食性指数は小さいほど耐食性に優れていることを示す。
耐食性の評価の結果、実施例１〜５の耐食性指数は９５〜１０５の範囲であった。すなわち、実施例１〜５の耐食性はシトラス系の芳香剤を含有しない比較例とほぼ同等であり、シトラス系の芳香剤を添加しても耐食性の大きな低下はなく、マッド材として十分な耐食性を確保できることがわかった。
(57)【要約】【課題】定規の中心に漢字やひらがな等の文字を設け、上と右側にオス、下と左側のメスを設けたことを特徴とする一文字定規を提供する。【解決手段】定規の中心（１）に漢字やひらがな等の文字を設け、定規の上と右側にオス（２）を設け、定規の下と左側にメス（３）を設けたことを特徴とする一文字定規である。【選択図】図１
2019014220.tif 000002
【特許請求の範囲】
【請求項１】
定規の中心（１）に漢字やひらがな等の文字を設け、定規の上と右側にオス（２）を設け、定規の下と左側にメス（３）を設けたことを特徴とする一文字定規である。
【発明の詳細な説明】
【技術分野】
【０００１】本発明は、漢字やひらがな等の文字を綺麗に書くことができる定規に関するものである。
【背景技術】
【０００２】従来、アルファベッドや数字等定規に書かれていました。（特許文献１参照）。
【先行技術文献】
【特許文献】
【０００３】
【特許文献１】特開平１０−１００５９２
【発明の概要】
【発明が解決しようとする課題】
【０００４】そのために次のような問題点があった。
（イ）漢字やひらがな等の文字が綺麗に書けない欠点があった。
（ロ）氏名や挨拶等の文字が綺麗に書けない欠点があった。
本発明は、これらの問題を解決するためになされたものである。
【課題を解決するための手段】
【０００５】定規の中心に文字を設ける。
一文字定規を合わせて一文字以上の文字を設ける。
以上を特徴とする一文字定規である。
【発明の効果】
【０００６】本発明の一文字定規は綺麗に文字を書くことができ、又一文字定規同士を合わせて一文字以上の文字を設ける利点がある。
【図面の簡単な説明】
【０００７】
【図１】本発明の斜視図である。
【図２】本発明の一部を切り欠いた側面図である。
【発明を実施するための形態】
【０００８】以下、本発明の実施の形態について説明する。
（イ）定規中心に文字（１）を設け、上と右側にオス（２）を設ける。
（ロ）定規、下と左側にメス（３）を設ける。
本発明は以上のような構成である。
本発明を使用するときは、定規中心の文字（１）をボールペン等で書く。
オス（２）とメス（３）を合わせて一文字以上の文字にできる。
上下左右の組み合わせで縦書き横書きに対応できる。
【符号の説明】
【０００９】１  文字
２  オス
３  メス
【図１】
2019014220.tif 000003
【図２】
2019014220.tif 000004
(57)【要約】【課題】メラミンフォームを簡単な加工によって、多種類の商品に使用できると同時に、取り替え、固定両方法で使用できるメラミンフォーム商品の開発を課題とした。【解決手段】メラミンフォームを薄くスライスし、その片側平面に熱可塑性樹脂を含浸した後、互いの熱可塑性樹脂含浸面を重ね合わすか、折り畳み加熱することで外周の熱可塑性樹脂のみを再溶解し、その粘性を利用して接着、メラミンフォームの袋を製造する。【選択図】図１
2019198615.tif 000002
【特許請求の範囲】
【請求項１】
薄くスライスカットしたメラミンフォーム片側平面に、熱可塑性樹脂を含浸したものを熱可塑性樹脂面を互いに合わせ置き、その外周部を加熱することで熱可塑性樹脂を一部溶解し、その粘性を利用して溶着したことを特徴とするメラミンフォーム袋。
【請求項２】
請求項１のメラミンフォーム袋を表裏反転することによって使用することを特徴とするメラミンフォーム保温袋。
【請求項３】
請求項２のメラミンフォーム袋であって、開閉部分を密封できることを特徴とするメラミンフォーム保温袋。
【請求項４】
メラミンフォームを薄くスライスカットする工程と、そのメラミンフォーム片側平面に熱可塑性樹脂を含浸する工程と、熱可塑性樹脂面を互いに合わせ置き、その外周部を加熱することで熱可塑性樹脂を一部溶解し、その粘性を利用して溶着したことを特徴とするメラミンフォーム袋の製造方法。
【発明の詳細な説明】
【技術分野】
【０００１】本発明は、メラミンフォーム袋とその製造方法に関する。
【背景技術】
【０００２】メラミンフォームにおいて、その片側平面に熱可塑性ゴムシートを含浸し強度上昇を計った歯面清掃用商品の公報は本発明者が出願した下記文献である。【０００３】
【特許文献１】特開２０１１−４２１５４公報
【特許文献２】特願２０１４−１１７０８５公報
【発明の開示】
【発明者が解決しょうとする課題】
【０００４】メラミンフォームはホームセンター等において適当なサイズにカットされ販売される商品が大半であり、ハンドル等に固定されたり、取り替え自由に装着できるタイプの商品においても、その原形は板形状のものが全てと言える。そして、この形状であるために、取り付け方法においても限定されることとなってしまい、商品に広がりのないことが欠点と言える。
【０００５】メラミンフォームの長所だけを考察し、生活用品だけに限定したとしても清掃用品、保温用品、そして、口腔内清掃用品などが思量できる。そして、これらの商品全てに使用できる商品の形状加工の実現を課題とした。
【課題を解決するための手段】
【０００６】メラミンフォームを薄くスライスし、その片側平面に熱可塑性樹脂を含浸した後、互いの熱可塑性樹脂含浸面を重ね合わすか、折り畳み加熱することで外周の熱可塑性樹脂のみを再溶解し、その粘性を利用して接着、メラミンフォームの袋を製造する。
【発明の効果】
【０００７】メラミンフォームを任意形状の袋に加工することで、容易にハンドルに差し込み装着することができ取り替え方式の商品となる。又、一部分を同様の熱溶着により固定することで固定商品となる。強度が必要な商品の場合は、メラミンフォーム全面を熱溶着により固定する方法もある。
【０００８】使い捨てカイロなどをメラミンフォーム袋に入れ保温することで、使用時間を延長する場合などは、メラミンフォーム袋を反転させることで、メラミンフォーム面を内側とするだけで容易に実行することができ、低温火傷の必配も軽減する。
【０００９】又、使い捨てカイロの場合はメラミンフォーム袋の口を閉め空気を遮断することで発熱を一時止めることができる。これにより、使い捨てカイロを必要な時間のみ使用することが可能となった。
【発明を実施するための最良の形態】
【００１０】以下、本発明を実施するための最良の形態を図をもって説明する。【００１１】メラミンフォーム１の片側平面に熱可塑性樹脂２を含浸溶着し、そのメラミンフォーム１を薄くスライスカットする。そのメラミンフォーム１を熱可塑性樹脂２含浸面を内側とし重ね合わせた状態を示したものが図１である。【００１２】その図１の外周部２Ａのみを熱溶着することで、図２で示すような袋形状となり成形ハンドル３に差し込むことで、清掃用具などの商品となる。そのメラミンフォームを差し込むだけの場合は取り替え式となり、一部分を成形ハンドル３に固定する場合は、袋を製造するときと同様に加熱し熱溶着することで実現する。【００１３】この袋を表裏反転し、メラミンフォーム１面を内側とすることで保温袋となり、使い捨てカイロを挿入する場合は、その使い捨てカイロの構造から、開放部分を密封することで発熱は一時停止し必要な時のみ温めることができる。当然、メラミンフォーム袋に入れることで使い捨てカイロ自体の使用時間が延長する。
【図面の簡単な説明】
【００１４】
【図１】薄くスライスカットしたメラミンフォーム片面に熱可塑性樹脂を含浸した後、熱可塑性樹脂面を内側にして重ねた状態を示す斜射図。
【図２】図１のメラミンフォーム外周部を熱により溶着し、袋状態にしたことを示す斜射図。
【図３】図２の袋状態のメラミンフォームを、成形ハンドルに差し込んだ斜射図。
【符合の説明】
【００１５】１、  メラミンフォーム
２、  熱可塑性樹脂
２Ａ、外周部
３、  成形ハンドル
【図１】
2019198615.tif 000003
【図２】
2019198615.tif 000004
【図３】
2019198615.tif 000005
(57)【要約】      （修正有）【課題】突風や強風時に使用してもきのこ状にならず、安定した状態で使用する事が出来る傘を提供する。【解決手段】傘の内部に溜まる風を外部に逃がす通路６、９、２を作ることによって、これを解消する事が出来る。【選択図】図２
2019198611.tif 000002
【特許請求の範囲】
【請求項１】
周囲に複数孔を有した石突きを備え、傘内の空気の流れを常に前記傘の下方に押し下げる方向に流すようにしたことを特徴とした傘。
【請求項２】
前記複数孔は前記石突きの支柱を中心に外側周囲に放射状に傾斜していることを特徴とした請求項１記載の傘。
【請求項３】
前記石突きの表面は鏡面仕上げであることを特徴とした請求項１〜２記載の傘。
【発明の詳細な説明】
【技術分野】
【０００１】  従来の日傘、雨傘や各種のパラソルを使用中に傘の下方から上方に向かって突風や強風を受けると、その風の逃げ場がなく、その風圧によって傘がきのこ状になったりして、雨除けや日除けの機能を阻害し正常な状態で傘を使用することが出来なくなっていたので、このような不具合を解消する傘に関する。
【背景技術】
【０００２】  一般的に傘の使用中に傘の下方から上方に向かって突風や強風を受けるとその風圧で傘が飛ばされたり、きのこ状になったりするので、子供や女性たちにとっては大変危険であり、このような危険性を解消する傘を提供する。
【先行技術文献】
【特許文献】
【０００３】
【特許文献１】実用新案登録第６１３６７３８号公報
【特許文献２】特開平９−２９９１２０号公報
【特許文献３】特開２０００−１９７５１１号公報
【特許文献４】特開０９−２４８２０９号公報
【特許文献５】特開平１１−１６９２１６号公報
【発明の概要】
【発明が解決しようとする課題】
【０００４】  本発明の目的は傘使用時の晴天時、降雨時にかかわらず、突風や強風のために飛ばされたり、きのこ状になったりしていたので、特に子供や女性の使用には大変危険であるという問題があった。
【課題を解決するための手段】
【０００５】  本発明は傘内に集中する空気の流れをスムーズに外部へ排出するために傘内支柱から石突きより排出されるための通気孔を形成する。【０００６】  石突き部分の表面に反射板などを設けることにより、自動車の運転時などに子供や女性などに対する危険や注意を促すこともできる。
【発明の効果】
【０００７】  突風や強風時に使用してもきのこ状にならず、安定した状態で使用する事が出来る。【０００８】  石突き部分に反射板を設けることによって周囲の人々に子供や女性に対しての注意を知らせめることが出来る。
【図面の簡単な説明】
【０００９】
【図１】  拡げた傘の斜視図
【図２】  傘本体に入る風を内部から外部に排出するための風の流れの図
【図３】  傘内部の上方の斜視図
【図４】  傘の石突き部分の正面図
【図５】  傘の石突き部分の断面図
【発明を実施するための形態】
【００１０】  図１は傘本体の斜視図と石突き部分の拡大図である。
【００１１】  図２は傘内部に入った空気が傘外へ排出される風の流れを模した図である。
すなわち、傘内に入った空気は傘内部の上部分に収束されて支柱の傘の上部に任意の通気孔部分（６）から支柱のシャフト内部を通りぬけて、空間（９）に集中し、石突き（１）内部に設けられた通気孔（２）より外部に排出される。
【００１２】  図３は傘内部の上方の斜視図であり、傘の上方部分に収束した風を支柱（４）に設けられた通気孔（６）より石突き（１）に排出される。
【００１３】  図４は傘の石突き（１）部分の正面図であり、風を排出するための石突き（１）の上部周囲に設けた複数の通気孔（２）である。
【００１４】  図５は石突き（１）の断面図であり、傘内部に入り込んだ風は通気孔（６）より支柱のシャフトから石突き（１）の通気孔（２）から外側に排出される。石突内部の孔と外側に設けられる出口の孔は下方に向けて設けられる。
【符号の説明】
【００１５】１    石突き            ２    石突き内部通気孔
３    傘布              ４    支柱
５    上ロクロ          ６    支柱部通気孔
７    天紙              ８    親骨
９    空間              １０  止め鋲
【図１】
2019198611.tif 000003
【図２】
2019198611.tif 000004
【図３】
2019198611.tif 000005
【図４】
2019198611.tif 000006
【図５】
2019198611.tif 000007
(57)【要約】      （修正有）【課題】吸盤又はマグネット等で壁面等に取り付け、使用済みのレジ袋を折りたたみ等の手間をかけずに、サイズ等の識別が容易な原型に近い形で保管し、どの位置からも単体で引き出し可能なレジ袋保管具を提供する。【解決手段】主基台１ａに上部棒材２と下部棒材３を配置し、更に、上部棒材には、補助基台１ｂを付加して壁面等への安定した取付けを図っている。主基台と上部棒材及び下部棒材で「⊂」字型を形成し、開口側がレジ袋の挿入側となる。レジ袋を補助基台側から上部棒材と下部棒材の間を通し主基台の方に順次詰め、原型に近い形で保管する。これによりレジ袋のサイズが目視可能となる。再利用するレジ袋は、下に引き抜くだけでよい。その際、レジ袋自身の滑りやすい性質を使うことで、他を連れ落とすこと無く単体で取り出せるようになっている。これら保管要領から再利用までの取り扱いの簡便さを得る。【選択図】図１
2019198607.tif 000002
【特許請求の範囲】
【請求項１】
主基台（１ａ）に適宜長さの上部棒材（２）と下部棒材（３）を配置し、更に上部棒材（２）に補助基台（１ｂ）を付加した構造を特徴とするレジ袋保管具。
【請求項２】
補助基台（１ｂ）を省いた構造を特徴とする請求項１記載のレジ袋保管具。
【発明の詳細な説明】
【技術分野】
【０００１】  本発明は、棒材を使った、使用済みのレジ袋の保管具に関するものである。
【背景技術】
【０００２】  使用済みのレジ袋は、一般に折りたたんで、引出しや袋等に保管していた。
【発明の概要】
【発明が解決しようとする課題】
【０００３】  使用済みのレジ袋を折りたたむのに手間がかかる。また、折りたたんだレジ袋は再利用時にサイズ等の識別が困難である等の課題点がある。
本発明は以上の課題点を解決しようとするものである。
【課題を解決するための手段】
【０００４】  吸盤又はマグネット等で壁面に取り付けて使うもので、基台に水平な棒材を上下に配置し、基台と上下の棒材とで形成される「⊂」字型又は「コ」字型の開口側から、レジ袋を上下の棒材間を通して順次押し込ことで簡単に、しかも原型に近い形でレジ袋の保管を行うことで課題点を解決している。
【発明の効果】
【０００５】  レジ袋の保管に際しては、レジ袋を上下の棒材間を通すだけなので折りたたみの手間が省けること、レジ袋が原型に近い形で保管されるので再利用時にサイズ等が目視できること、更に、選んだレジ袋はどの位置にあっても下に引き抜くだけで単体で取り出せる点にある。
これら保管要領から再利用までの取り扱いの簡便さを特徴とする。
【図面の簡単な説明】
【０００６】
【図１】    実施形態で主基台（１ａ）と補助基台（１ｂ）を具備し、それぞれの基台に固定部材として吸盤を使用した場合の全体斜視図
【図２】    図１の正面図
【図３】    図１の上面図
【図４】    図１の右側面図
【図５】    図１の使用状態での斜視図
【図６】    標準的なレジ袋外形図
【図７】    図１の使用状態での右側面図
【図８】    実施形態で補助基台（１ｂ）及び固定部材を省いた全体斜視図
【図９】    実施形態で補助基台（１ｂ）及び固定部材を省いた全体斜視図で主基台（１ａ）を中間に配置した場合
【発明を実施するための形態】
【０００７】  以下、本発明の実施形態について説明する。
構成については図１〜４、図８及び図９をもとに説明する。
尚、便宜上左側に主基台（１ａ）、右側に補助基台（１ｂ）を配置しているが、左右逆でも構わないし、主基台（１ａ）のみで十分な強度等があれば補助基台（１ｂ）は省いて図８又は図９の形態にすることも出来る。
また、主基台（１ａ）と補助基台（１ｂ）の何れか又は双方には壁面等に取り付ける為の吸盤又はマグネット等の固定部材が必要であるが、その選定等については本発明との関連は無いため不問とする。
ここでは、補助基台（１ｂ）も具備し、固定部材としては吸盤を主基台（１ａ）及び補助基台（１ｂ）の双方に取り付けた場合で説明する。
この実施形態の構成では、主基台（１ａ）に上部棒材（２）と下部棒材（３）を配置し、更に、上部棒材（２）には補助基台（１ｂ）が付加されている。
主基台（１ａ）と上部棒材（２）及び下部棒材（３）で「⊂」字型を形成し、開口側が後述のレジ袋挿入側となる。
上部棒材（２）と下部棒材（３）については、間隔は２ｃｍ程度、長さはレジ袋の保管数及びサイズ等に関係するが３０枚程度で一般的なサイズであれば３０ｃｍ程度、直径は０．５〜１ｃｍ程度、材質は塑性変形しにくいものであること。
本発明は以上のような構成である。
本発明の使用方法について図５、図６及び図７をもとに説明する。
本保管具に図６で示す標準的なレジ袋（６ｃ）を保管するには、逆さにして保管前レジ袋（６ｂ）のように窄め、図５のレジ袋挿入方向（７）で示すように補助基台（１ｂ）側から上部棒材（２）と下部棒材（３）の間を通し主基台（１ａ）の方に順次詰めていく、保管中レジ袋（６ａ）のように原型に近い形で保管されるので再利用の際の選択が容易である。
選んだレジ袋（この例では左から２枚目）は、レジ袋引抜方向（８）ように下に引き抜くだけでよい。その際、レジ袋自身の滑りやすい性質を使うことで、他を連れ落とすこと無く目的のものだけを取り出せるようになっている。
図７は右側面からの見た図で、保管中レジ袋（６ａ）は上部棒材（２）と下部棒材（３）及び壁（９）の壁面の各接触点（１０ａ、１０ｂ、１０ｃ）が三つの支持点となり保管中レジ袋（６ａ）の脱落を抑えている説明である。
以上が本発明の使用方法である。
【符号の説明】
【０００８】  １ａ    主基台
１ｂ    補助基台
２      上部棒材
３      下部棒材
４      吸盤
６ａ    保管中レジ袋
６ｂ    保管前レジ袋
６ｃ    標準的なレジ袋
７      レジ袋挿入方向
８      レジ袋引抜方向
９      壁
１０ａ  上部棒材接触点
１０ｂ  下部棒材接触点
１０ｃ  壁面接触点
【図１】
2019198607.tif 000003
【図２】
2019198607.tif 000004
【図３】
2019198607.tif 000005
【図４】
2019198607.tif 000006
【図５】
2019198607.tif 000007
【図６】
2019198607.tif 000008
【図７】
2019198607.tif 000009
【図８】
2019198607.tif 000010
【図９】
2019198607.tif 000011
(57)【要約】【課題】高齢者や認知症患者が薬の服用に際し、飲み忘れや飲み間違い、飲み過ぎが無いように、曜日別に棚に仕切りを設けた薬ケースの前面に引き戸を設け、薬を飲む当日分の薬のみを見える状態にした引き戸付き薬ケースを提案する。【解決手段】縦方向に曜日ごとの７日分に分ける仕切り（７）と、横方向に服用時間帯分に分ける棚（５）を設けたケースの前面に、一日分の棚の巾と同じ巾の６枚の引き戸式の扉（６）を設け、横方向にスライドすることで順次７日の内の１日のみが開放状態となるようにする。服用当日の仕切り部分が開放された状態で、本日と前面に明記されたストッパー（８）をセットする。【選択図】図１
2019198604.tif 000002
【特許請求の範囲】
【請求項１】
縦方向に曜日ごとの７日分に分ける仕切りと、横方向に服用時間帯分に分ける棚を設けたケースの前面に、一日分の棚巾と同じ巾の６枚の引き戸を設け、横方向にスライドすることで７日の内の１日のみが開放状態となるようにしたことが特徴の薬ケース。
【発明の詳細な説明】
【技術分野】
【０００１】  この発明は、曜日ごとに仕切りを設けた薬ケースの前面に分割した引き戸を付け、当日飲む分の薬のみを見える状態にした引き戸付き薬ケースに関するものである。
【背景技術】
【０００２】  高齢化が進む中で、認知症患者の一人暮らしや在宅介護が増加しており、こうした方々の自宅での薬の服用機会も増えている。【０００３】  従来、病院や薬局より提供される薬を服用日、服用時間帯ごとに管理する器具としては、投薬カレンダー（特許文献１参照）や薬カレンダー（特許文献２参照）、歴付き薬ケース（特許文献３参照）などが開示されている。
【先行技術文献】
【特許文献】
【０００４】
【特許文献１】実用新案登録第３０９４３７７号公報
【特許文献２】特許第６２２９８６６号公報
【特許文献３】実用新案登録第３０８５８１８号公報
【発明の概要】
【発明が解決しようとする課題】
【０００５】しかし、これらは、すべての日の薬が解放されて取り出しが可能であるために、認知症で日付や曜日の判断が付きづらくなった場合に、飲み間違いや飲み過ぎを起こしやすい。また、すべての日が一様な表示で、当日分だけを認識することが容易ではないために、飲み忘れを発生しやすい。本発明は、以上のような欠点をなくすためになされたものである。
【課題を解決するための手段】
【０００６】  本考案は、上記問題を解決するために、縦方向に曜日ごとの７日分に分ける仕切りと、横方向に服用時間帯分に分ける棚を設けたケースの前面に、一日分の棚巾と同じ巾の６枚の引き戸式の扉を設け、横方向にスライドすることで７日の内の１日分の仕切られた棚のみが開放状態となるようにしたことが特徴の薬ケースである。【０００７】  上部に仕切られた棚に対する日曜日から土曜日までの曜日の表示を設け、棚にはそれぞれに等間隔に７個の服用時間帯の表示を設ける。【０００８】  服用当日の曜日の仕切られた棚が開放された状態で、引き戸が滑らないようにストッパーで固定し、ストッパーの前面には本日と表記し、解放された棚部分が服用当日分であることを容易に認識できるようにする。
【発明の効果】
【０００９】  本発明によれば、服用当日分の仕切られた棚の前の引き戸のみが開放され、服用者本人または介護者からは服用当日分の薬のみが見えることになり、服用状態が容易に確認でき、曜日の混同による飲み忘れ、飲み間違い、飲み過ぎを防止できる。
【図面の簡単な説明】
【００１０】
【図１】本発明の斜視図である。
【図２】本発明の引き戸およびストッパーを外した状態の正面図である。
【図３】本発明の断面図である。
【図４】ストッパー部斜視図である。
【符号の説明】
【００１１】１  薬ケース本体
２  側面板
３  上部引き戸レール
４  下部引き戸レール
５  棚
６  引き戸
７  仕切り板
８  ストッパー
９  裏板
１０  曜日の表示
１１  時間帯の表示
【発明を実施するための形態】
【００１２】  以下、本発明を実施するための形態について図面を元に説明する。
本薬ケースは図２の様に、左右の側面板（２）と上部引き戸レール（３）、下部引き戸レール（４）および裏板（９）よりなるケースの内部に、棚（５）とそれを分ける仕切り（７）を設け、曜日と時間帯で定まる仕切られた棚を形成したものである。
【００１３】  仕切り（７）の数を横方向に６個とすることで、日曜日から土曜日までの縦に７列の収納棚を形成し、上部引き戸レール（３）に日曜日から土曜日までの曜日表示（１０）を設ける。
【００１４】  横方向に左右の側面板まで一杯に通す棚（５）は、薬を飲む時間帯別に薬を分けて収納するためのものである。それぞれの棚に時間帯の表示（１１）を等分に７個表記する。
【００１５】  図１の様に、７等分にした棚の巾と同じ巾の引き戸（６）を６枚並べ、上部レール（３）と下部レール（４）の間で左右にスライドするように取り付ける。
【００１６】  服用する当日の曜日の棚だけが正面より見えるように、引き戸（６）をスライドさせる。
【００１７】  ストッパー（８）の表面に本日と表記し、これを解放されている服用日の下部レールに差し込み、引き戸が動かぬ様にストッパーとするとともに、解放されている棚が本日分であることを表わす。
本発明は以上のような構造である。
【００１８】  服用者本人または介護者は、薬が提供されると、一週間分を上限として服用すべき曜日と時間帯の棚部分に収める。引き戸を横にスライドして、該当する曜日の棚部分を解放し、ストッパーで固定したのちに、薬を服用すべき時間帯に順次服用する。日付が変わると、引き戸を横にスライドして、該当する曜日の棚部分を解放し、順次同様に服用する。月曜日より土曜日までは１枚を左へスライドすることで、日曜日のみ６枚を右へスライドすることで、服用当日分の棚を解放することができる。
【図１】
2019198604.tif 000003
【図２】
2019198604.tif 000004
【図３】
2019198604.tif 000005
【図４】
2019198604.tif 000006
(57)【要約】【課題】  本発明は、極めて薄く軽い柔軟なクリアファイル（ホルダ）周囲両端面に様々な額縁表現を致し、その特長の一つとして、同一面の印刷等による縁なし表現と異なり、極薄でも額縁の表現を立派に果たす、包み貼り額縁シールを提供する。【解決手段】  包み貼り額縁シール裏面のタテ状の中芯線はクリアファイルの周囲に跨る鞍状の折目線で包み貼り接着できる包み貼り額縁シール。【選択図】図１
2019198609.tif 000002
【特許請求の範囲】
【請求項１】
包み貼り額縁シール裏面のタテ状の中芯線はクリアファイルの周囲に跨る鞍状の折目線で包み貼り接着できる包み貼り額縁シール。
【請求項２】
包み貼り額縁シールの裏面に設定した２筋の接着糊部の中間に走る糊無し部位は、書画写真等の挿入時に不要な糊の悪影響を回避する目的のエリアである包み貼り額縁シール。
【請求項３】
包み貼り額縁の出隅の突き着け後に接着部をシールで重ね貼りして不都合な間隙の解消と共にシール正面のデザインとの調和を助長する包み貼り額縁シール。
【請求項４】
クリアファイル等包み貼りの収容性より、在中用紙の取り出し・下敷き・筆記・収納・密閉の循環型としてクリア板の表面が下敷等の多様性がある包み貼り額縁シール。
【発明の詳細な説明】
【技術分野】
【０００１】  本発明は、極めて薄く軽い柔軟なクリアファイル（ホルダ）周囲両端面に様々な額縁表現を致し、その特長の一つとして、同一面の印刷等による縁なし表現と異なり、極薄でも額縁の表現を立派に果たす、包み貼り額縁シールに関するものである。
【背景技術】
【０００２】  従来より、２辺が開放型のクリアファイル（ホルダ）は、能率優先の機能性を重視した形態であった。
【先行技術文献】
【０００３】
【特許文献１】特開２００５−５８２５１号公報
【発明の概要】
【発明が解決しようとする課題】
【０００４】  それには、次のような問題点があった。
額が欲しいが１ｍｍ程の厚さの額はなく、思案の末にクリアファイル（ホルダ）や柔軟なクリア板１枚に紙や布等の重ね合せや、さらには、クリア板２枚を重ね合せた周囲端部の合わせ目用の包み貼り額縁シールを発明した。
本発明は、これらのような問題点を解決するためになされたものである。
【課題を解決するための手段】
【０００５】  包み貼り額縁シールの表面は印刷可能な紙・ビニール等の折り曲げ可能な素材を用い、裏面には樹脂接着剤・アクリルエマルジョン、他には剥離用両面テープ等を使い接着部に走る２筋の糊部の中間は無糊部位で挿入書画等に糊の悪影響が及ばないためのエリアである。
さらには、包み貼り額縁シールの収縮による出隅の縁切れ防止、間隙の解消として出隅の重ね貼り法、突き着けシール貼り法で不都合を解消する。
包み貼り額縁シールは、極めて薄く嵩張らない他、柔軟性に富み、割れる心配もなく、Ａ４大の場合ファイル共で約７０ｇ程である。
美観も秀で印象効果も向上致し、書画等の挿入取り出し部位は、開封が可能な包み貼り状を特長としていたし、包み貼り額縁シールの活躍で、多様な表現ができ、ファイルやラミネート等の周囲角面を包み貼りにして、額にする、包み貼り用額縁シールで在中書画の滑落や散乱も回避できる。
【発明の効果】
【０００６】  本発明はクリアファイル（ホルダ）の周囲隅両面を包み貼り額縁シールすることで、在中書画写真等の滑落散乱等、不都合が解消する。
クリアファイル（ホルダ）の周囲隅両面に額縁の包み貼りすることで額の表現ができる。
包み貼り額縁シール表面に書画コマーシャル等の印刷表現が可能である。
包み貼り額縁シールの裏面に設定の２筋の接着部の中間に走る無糊部位の中心線兼折り目線にクリアファイル（ホルダ）の端角を合わせて、包み貼りすることで、上品で極薄の額ができ上がる。
クリアファイル（ホルダ）の在中書画等の内部透視ができる他、額の脇役として絶大な表現力を発揮する。
【図面の簡単な説明】
【０００７】
【図１】  本発明の裏面図と側面図である。
【図２】  本発明の表面図と側面図である。
【図３】  本発明の他の実施例の表面図と側面図である。
【図４】  本発明の使用状態を説明した説明図である。
【図５】  本発明の使用状態を説明した説明図である。
【図６】  本発明の使用状態を説明した説明図である。
【図７】  本発明の使用状態を説明した説明図である。
【図８】  本発明の使用状態を説明した説明図である。
【発明を実施するための形態】
【０００８】  以下、本発明の実施の形態について説明する。
（イ）包み貼り額縁シールの表面は印刷可能な紙・ビニール等の折り曲げ可能な素材を用    い、裏面には樹脂接着剤・アクリルエマルジョン、他には剥離用両面テープ等を使い    接着部に走る２筋の糊部の中間は無糊部位で挿入書画等に糊の悪影響が及ばないため    のエリアである。
（ロ）さらには、包み貼り額縁シールの収縮による出隅の縁切れ防止、間隙の解消として    出隅の重ね貼り法、突き着けシール貼り法で不都合を解消する。
（ハ）包み貼り額縁シールは、極めて薄く嵩張らない他、柔軟性に富み、割れる心配もな    く、Ａ４大の場合ファイル共で約７０ｇ程である。
（ニ）美観も秀で印象効果も向上致し、書画等の挿入取り出し部位は、開封が可能な包み    貼り状を特長としていたし、包み貼り額縁シールの活躍で、多様な表現ができ、ファ    イルやラミネート等の周囲角面を包み貼りにして、額にする、包み貼り用額縁シール    で在中書画の滑落や散乱も回避できる。
本発明は、以上のような構造である。
本発明を使用するときは、包み貼り額縁シールの表面に印刷可能な紙・ビニール等の折り曲げ可能な素材を用い裏面には樹脂接着材剤・アクリルエマルジョン、他には剥離用両面テープ等を使い接着部に走る２筋の糊部の中間は無糊部位で挿入書画等に糊の悪影響が及ばないためのエリアである。
さらには、包み貼り額縁シールの収縮による出隅の縁切れ防止、間隙の解消として出隅の重ね貼り法、突き着けシール貼り法で不都合を解消する、包み貼り額縁シールは、極めて薄く嵩張らない他、柔軟性に富み、割れる心配もなく、Ａ４大の場合、ファイル共で約７０ｇ程である。
美観も秀で印象効果も向上致し、書画等の挿入取り出し部位は開封が可能な包み貼り状を特長といたし、包み貼り額縁シールの活躍で多様な表現ができ、ファイルやラミネート等の周囲角面を包み貼りして額にする、包み貼り用額縁シールで在中書画の滑落や散乱も回避できる。
【符号の説明】
【０００９】    １  包み貼り額縁シール
２  クリアファイル（ホルダ）
３  曲線部包み貼り額縁シール
４  保護シールと接着部
５  無糊（非接着部）
６  出隅のシール貼（アカンサス例）
７  折り目中芯線
Ａ  ↑移動方向
Ｂ  Ｗ加圧
Ｃ  ↓書画・写真など挿入口
【図１】
2019198609.tif 000003
【図２】
2019198609.tif 000004
【図３】
2019198609.tif 000005
【図４】
2019198609.tif 000006
【図５】
2019198609.tif 000007
【図６】
2019198609.tif 000008
【図７】
2019198609.tif 000009
【図８】
2019198609.tif 000010
(57)【要約】【課題】使用者の口を覆うことなく精油の吸引が行える薬効吸引用シートの提供。使用者が芳香治療用乃至、気分改善用に精油を限定的に吸引できる。薬効吸引用シート着装時に飲食、会話を可能にし、特に睡眠時においての違和感の軽減。香り布チップ取替えの煩わしさを軽減し、周囲の香り迷惑を考慮し、芳香液の無駄な消耗を防ぎ、自由に香りを選定できる。【解決手段】精油を浸透させた保液用布チップを（Ｂ）の開口部に挟み込んだ当該薬効吸引用シートの（Ｃ）を両耳に繋止して精油を直接鼻腔より吸引する。使用者は、香り効果で気分の改善を図る乃至、鼻つまりを改善し鼻呼吸を容易にする。薬効吸引用シートは、軽量、ソフト、ドライな素材で直接肌接触を可能にする。薬効吸引用シートは、保液チップが直接肌接触を防止するため開口部をＵ字構状態とする。  【選択図】      図1
2019198567.tif 000002
【特許請求の範囲】
【請求項１】
薬効吸引用シート本体は、鼻及び口を覆うことなく使用者の鼻と口の間に細長く設置できる事を特徴とする薬効吸引用シート。
【請求項２】
該シートは、精油や点鼻薬を吸収した布チップを挟み込むＵ字構造を有し、鼻から揮発性精油及び点鼻薬を吸引出来ることを特徴とする請求項１の薬効吸引用シート。
【請求項３】
該シート本体は肌と接触するので、ソフトでドライ加工を施し且つ、通気性を確保できる素材が使用できる構成を特徴とする請求項１乃至２いずれかに記載の薬効吸引用シート。
【請求項４】
該シート本体を繋ぎ設置する装着手段が、薬効吸引用シート本体に伸縮性のあるゴム紐状リングで両耳に掛ける若しくは、伸縮性のないサイズ調整可能な紐状テープを両耳に掛けて、脱落を防止する事を特徴とする請求項１乃至３いずれかに記載の薬効吸引用シート。 
【請求項５】
該シート本体は、伸縮しない素材で形成され顔に沿って湾曲するので装てんした布チップが脱落しないことを特徴とする請求項１乃至４に記載の薬効吸引用シート。
【発明の詳細な説明】
【技術分野】
【０００１】
本発明は鼻腔、咽頭、喉頭の粘膜を治癒する目的及び、気分を改善する目的で揮発性薬及び精油を液状体で吸着した布チップを挟み使用する特徴を有し、前記シートが直接肌接触しない構造とし、取替えが容易な構造とした。睡眠時、休息時に違和感なく着装可能なソフトで軽量なことを特徴とするものに関する。  
【背景技術】
【０００２】
睡眠障害の多くの人が、入眠困難、中途覚醒、早朝覚醒、熟眠障害等を抱えている。原因には生活環境の要因、加齢や花粉症など身体要因、悩みやイライラなど精神的ストレス要因、アルコールや薬の副作用、運動不足等の生活習慣要因が言われている。睡眠障害の改善を目的に服用薬に頼らない自然の精油を活用する療法が行われている。精油の効果を最大限享受できるよう鼻腔から直接吸引でき、睡眠時の着装違和感軽減と飲食や会話の不自由軽減を目的とした。
【先行技術文献】
【特許文献】
【０００３】
【特許文献１】特願２００２−２６２５０４
【特許文献２】実願平９−７３０８
【特許文献３】特開２００４−８９６５５
【特許文献４】特開２００６−３３４３７０
【特許文献５】特開平８−１６４２０７
【発明の概要】
【発明が解決しようとする課題】
【０００４】
前記のように鼻及び口を覆って芳香治療を試みる技術は確認されますが、使用者のストレスや違和感が多い。鼻及び口を塞ぐことなく治療及び気分改善を行え、飲食、会話を可能にし、休息及び睡眠時の違和感の軽減し、軽量で取り扱いが簡易であることが求められる。
【０００５】
（目的）本発明は前記課題を解消するもので、鼻及び口を塞ぐことなく芳香治療を行え、取り扱いが簡易で、軽量、ソフトな肌感触の芳香治療器具開発が目的である
【課題を解決するための手段】
【０００６】
前記目的を達成するため講じた本発明の手段は、次のとおりである。鼻と口に接触しない適応サイズの薬効吸引用シートを紐及びゴム紐で両耳に掛けて使用する。精油を浸透させた布チップを挟み保持できるＵ字構造とし、布チップが肌接触しない開口部を有する構造とし、布チップの薬効が減少した場合は容易に取替え可能な構造である。
【０００７】
第２の発明にあっては、薬効吸引用シートは直接肌と接触するのでソフトでドライな加工を施した素材を使用し、睡眠時や休息時の使用に違和感のない薬効吸引用シートである。
【０００８】
第３の発明にあっては、薬効吸引用シートは鼻及び上唇の間に位置する細長シートなので、縦3cm以下0.5cm以上で、より良くは、2.5cm以下1cm以上横7cm以上12cm以下が望ましい。
【０００９】
第４の発明にあっては、開口部付き薬効吸引用シートは使い捨て可能な不織布素材である。
【発明の効果】
【００１０】
（ａ）本発明に係る薬効吸引用シートでは、精油の薬効を効率的に鼻腔から体内に吸収できるため、必要な精油が少量で経済的であり、周りに匂いを拡散しない。
【００１１】
（ｂ）本発明に係る、薬効吸引用シートでは、精油の効果が減少時には薬効シートの取替えが容易である。
【００１２】
（ｃ）本発明に係る薬効吸引用シートでは、口、鼻を塞がない形状で飲食、会話に支障がなく着装時の違和感が軽減できる。
【００１３】
（ｄ）本発明に係る薬効吸引用シートでは、繋止用耳掛け紐は、伸縮可能な素材の使用若しくは、本体と同素材を使用しサイズ調節が可能である。
【図面の簡単な説明】
【００１４】
【図１】本発明に係る、薬効吸引用シートの斜視図。
【図２】本発明に係る、薬効吸引用シートのＡ-Ａ縦断面図。
【図３】本発明に係る、薬効吸引用シート着装図
【発明を実施するための形態】
【実施例１】
【００１５】
形態の一つの例を図面に基づき更に詳細に説明する。実施例1では、香り布チップを挟み込む開口部（B）と本体を繋止する両耳用紐を有する薬効吸引用シート。
【００１６】
発明の薬効吸引用シートは、香り布チップを挟み込む開口部はU字溝状（D）であり前記シートが下に落ちない構造である。
【００１７】
本発明の薬効吸引用シート（B）は、鼻及び口の間に湾曲し紐状テープ（C）で両耳に繋止される。
【符号の説明】
【００１８】
Ｂ-香り布チップ取替え用開口部
Ｃ-繋止用耳掛け紐
Ｄ-Ｕ字溝状の開口部
【図１】
2019198567.tif 000003
【図２】
2019198567.tif 000004
【図３】
2019198567.tif 000005
(57)【要約】【課題】  掛け布団の中心部あたりに、足を出すための開口部を設けた掛け布団を提供する。【解決手段】  掛け布団の中心部あたりに窓を設け、その窓を上カバーで覆いその開口部から足先を出すことができることを特徴とする開口部付掛け布団。【選択図】図１
2019198598.tif 000002
【特許請求の範囲】
【請求項１】
掛け布団の中心部あたりに窓を設け、その窓を上カバーで覆いその開口部から足先を出すことができることを特徴とする開口部付掛け布団。
【発明の詳細な説明】
【技術分野】
【０００１】  この発明は、掛け布団の中心部あたりに、足を出すための開口部を設けた掛け布団に関するものである。
【背景技術】
【０００２】  従来、掛け布団の胸のあたりに窓を設けて熱の放出、遮断を操作して内部の温度を調節する掛け布団があった。（特許文献１参照）。
【先行技術文献】
【特許文献】
【０００３】
【特許文献１】特開平１０−９９１７７号公報
【発明の概要】
【発明が解決しようとする課題】
【０００４】  これは、次のような問題点があった。
（イ）体内の温度調節機能のひとつである足裏を外に出すことが出来ない。また、足裏        を出すには掛け布団を剥ぐ必要があった。
（ロ）父母の間に子を挟んで寝る「川の字寝」のように、一枚の掛け布団を家族で共有        している場合、開閉窓から内部の保温性が失われてしまうため、暑く感じない者        まで影響を受けてしまっていた。
本発明は、以上のような問題点をなくすためになされたものである。
【課題を解決するための手段】
【０００５】  掛け布団の中心部あたりに窓を設け、その窓を上カバーで覆いその開口部から足先を出すことができることを特徴とする開口部付掛け布団。
本発明は、以上の構成よりなる開口部より足先を出すことができる掛け布団である。
【発明の効果】
【０００６】  掛け布団の開口部より、足先を出すことができる構造とし、これにより掛け布団全体を剥ぐことなく、暑い者だけが開口部より足先をだすことで、掛け布団内部の保温性を保持したまま体内の温度調整を可能とする。
【図面の簡単な説明】
【０００７】
【図１】  本発明の斜視図である。
【図２】  本発明の断面図である。（ａ）Ａ−Ａ断面図  （ｂ）面ファスナー取り付け断面図  （ｃ）連結布取り付け断面図
【発明を実施するための形態】
【０００８】  以下、本発明を実施するための形態について説明する。
（イ）掛け布団（１）の中心部あたりに窓（２）を設ける。この時、窓を設ける位置は        中心部よりやや上部が好ましい。
（ロ）窓（２）の全体を覆うように、上カバー（３）を取り付ける。
（ハ）上カバー（３）の取り付けは、図２（ｂ）のように上辺および左右辺を面ファス        ナー（６）にて固定する。または図２（ｃ）のように上辺は掛け布団（１）に直        接縫製し、左右辺は、掛け布団（１）と上カバー（３）の間に連結布（７）を用        いて縫製する。この時、連結布（７）は伸縮素材が好ましい。
（ニ）掛け布団（１）と上カバー（３）の下辺に開口部（４）が構成される。
（ホ）開口部（４）から足先（５）を出すことができる。
本発明は以上のような構成である。
本発明を使用するときは、掛け布団（１）を人体にかけ、体温が上昇し暑くなったときのみ開口部（４）から足先（５）を出す。
これにより、掛け布団（１）全体を剥ぐことなく、足先（５）で体温を調節できる。
また、体温が低下した際には、開口部（４）より、足先（５）を元通り収納することで、掛け布団（１）と上カバー（３）が接して開口部（４）が閉じ、従来通りの保温性を保つことができる。
【符号の説明】
【０００９】  １  掛け布団
２  窓
３  上カバー
４  開口部
５  足先
６  面ファスナー
７  連結布
【図１】
2019198598.tif 000003
【図２】
2019198598.tif 000004